(57)【特許請求の範囲】
【請求項１】
コンピュータやディスプレイ等を置くための棚板を具備するものであって、参考資料やマニュアル等を収納可能な収納ボックスを、棚板の上面側又は下面側のいずれかに選択的に取付けられるようにし、
収納ボックスの上面又は下面を形成するいずれか一方の面のみを取付面とし、この取付面に取付部を設けるとともに、この収納ボックスを棚板の下面側に取付ける場合には、この取付面を上にした状態とし、前記取付部を介して棚板の下面に取付け、上面側に取付ける場合には、この収納ボックスを天地逆に反転させて前記取付面を下にした状態とし、前記取付部を介して棚板の上面に取付けるようにしたものであり、
取付部が、取付面に開口するめねじ孔を具備し、このめねじ孔を介して前記収納ボックスを前記棚板の上面側又は下面側のいずれかに選択的に取付けられるように構成していることを特徴とする棚板付家具。
【請求項２】
前記収納ボックスを棚板の下面側に取付ける場合には、前記めねじ孔にねじ止めして上方に突出させた有頭ピンを、棚板の下面に開口させただるま孔に係り止めるようにしてなるものである請求項１記載の棚板付家具。
【請求項３】
前記収納ボックスを棚板の上面側に取付ける場合には、棚板の上面に開口させた貫通孔に下方から貫通させたねじを、前記めねじ孔にねじ止めするようにしてなるものである請求項１又は２記載の棚板付家具。
【請求項４】
収納ボックスが、枠体とこの枠体に支持され物品載置面を形成する底板とを具備するものであって、この底板を着脱可能なものとし、収納ボックスの姿勢に応じて、枠体の下部に取付けられるようにした請求項１、２又は３記載の棚板付家具。
【請求項５】
収納ボックスを、棚板に対し、幅方向に位置変更可能に取り付けられるように構成している請求項１、２、３又は４記載の棚板付家具。
【請求項６】
棚板にコンピュータやディスプレイを多数配置することのできるサーバラックである請求項１、２、３、４又は５記載の棚板付家具。
【発明の詳細な説明】
【０００１】
【発明の属する技術分野】
本発明は、コンピュータやディスプレイ等を置くための棚板を具備する棚板付家具に関する。
【０００２】
【従来の技術】
近時、例えばサーバシステムを構築するために、上下に並ぶ複数の棚板や天板を具備し、これら棚板等にコンピュータやディスプレイを多数配置して用いることのできるサーバラックと称される棚板付家具が開発されている。そして、この種のサーバラックとしては、これらコンピュータのマニュアルや参考資料等を収納するための収納ボックスを具備してなるものが知られている。
【０００３】
【発明が解決しようとする課題】
ところが、従来の収納ボックスは、取付位置が固定されていたり、位置変更可能であるにせよ棚板から吊るすことのみしかできなかったりする構造であったため、コンピュータの配置や機種変更に対応して最も効果的な場所に配置することができない場合があった。
【０００４】
【課題を解決するための手段】
そこで、本発明は、収納ボックスを、棚板の上面側又は下面側のいずれかに選択的に取付けられるようにし、棚板に載せる物品の位置変更や交換に好適に対応して収納ボックスを最も使い勝手のよい位置に配置できるようにすべく図ったものである。
【０００５】
【発明の実施の形態】
すなわち、本発明にかかる棚板付家具は、コンピュータやディスプレイ等を置くための棚板を具備するものであって、参考資料やマニュアル等を収納可能な収納ボックスを、棚板の上面側又は下面側のいずれかに選択的に取付けられるようにし、収納ボックスの上面又は下面を形成するいずれか一方の面のみを取付面とし、この取付面に取付部を設けるとともに、この収納ボックスを棚板の下面側に取付ける場合には、この取付面を上にした状態とし、前記取付部を介して棚板の下面に取付け、上面側に取付ける場合には、この収納ボックスを天地逆に反転させて前記取付面を下にした状態とし、前記取付部を介して棚板の上面に取付けるようにしたものであり、取付部が、取付面に開口するめねじ孔を具備し、このめねじ孔を介して前記収納ボックスを前記棚板の上面側又は下面側のいずれかに選択的に取付けられるように構成していることを特徴とする。
【０００６】
このようなものであれば、棚板の上面側及び下面側のいずれにも収納ボックスを取付けられるので、その取付位置自由度が従来のものと比べ格段に向上する。したがって、棚板に載せる物品の位置変更や種類の変更等に応じてこの収納ボックスを配置し、家具全体としての使用効率を向上させることができるようになる。しかも、収納ボックスを棚板に取付けるための取付部をより簡単な構成で実現することができる。
【０００７】
また、具体的な実施態様としては、前記収納ボックスを棚板の上面側に取付ける場合には、棚板の上面に開口させた貫通孔に下方から貫通させたねじを、前記めねじ孔にねじ止めするようにしてなるものを挙げることができる。一方、前記収納ボックスを棚板の上面側に取付ける場合には、棚板の上面に開口させた貫通孔に下方から貫通させたねじを、前記めねじ孔にねじ止めするようにしてなるものが好ましい。
【０００８】
上述したように収納ボックスを反転して使用できるものとした場合に、その部品削減や軽量化をより促進させるには、収納ボックスが、枠体とこの枠体に支持され物品載置面を形成する底板とを具備するものであって、この底板を着脱可能なものとし、収納ボックスの姿勢に応じて、枠体の下部に取付けられるようにしたものが望ましい。
【０００９】
取付部の好ましい実施態様としては、取付部が、取付面に開口するめねじ孔を具備し、前記収納ボックスを棚板の下面側に取付ける場合には、このめねじ孔にねじ止めして上方に突出させた有頭ピンを、棚板の下面に開口させただるま孔に係り止めるようにし、該収納ボックスを棚板の上面側に取付ける場合には、棚板の上面に開口させた貫通孔に下方から貫通させたねじを、前記めねじ孔にねじ止めするようにしてなるものを挙げることができる。
【００１０】
収納ボックスの配置位置自由度をより向上させ、その使い勝手をより好適なものとするには、収納ボックスを、棚板に対し、幅方向に位置変更可能に取り付けられるように構成しておくことが好ましい。
本発明の効果をより顕著に発揮させる具体的な家具としては、棚板にコンピュータやディスプレイを多数配置することのできるサーバラックを挙げることができる。
【００１１】
【実施例】
以下、本発明の一実施例を、図面を参照して説明する。
図１に示すサーバラックＲは、図示しない梁と枠体とを介して自立される左右一対の側部支持体４の間に天板６や棚板たる上棚２、中棚１等を取り付け、これら、天板６や中棚１、上棚２に図示しないサーバやディスプレイ等を複数配置できるようにしている。
【００１２】
具体的に説明すると、側部支持体４は、板金素材を塑性変形加工してなる支柱４１と、この支柱４１の下端を支持するベース４２と、前記支柱４１の前端部より前方に延び出して設けられ天板６を支持するステー４３とを具備してなるもので、床上に対をなして対向配置される。
上棚２は支柱４１の上端部間に取り付けたものであり、中棚１は上棚２と天板６との中間高さ位置に取り付けたものである。
【００１３】
しかして上棚２は、図２、図６等に示すように、一枚の板金素材を遡性変形加工してなる横長矩形状のもので、物品載置面を形成する本体板１１と、この本体板１１の裏面に沿わせて幅方向の略全域に亘って設けた補強部たる補強桟１６とを具備してなるものである。本体板１１には、奥行き方向に延び上下に貫通する貫通孔たるスリット１１ａが、幅方向に沿って間欠的に複数設けてあり、この幅方向に延びるスリット列が前後に２列設けられている。このスリット１１ａは、耐震金具やコンピュータ固定バンド等を取付けるためのものである。補強桟１６は、その側断面形状が本体板１１とともにロ字形をなすように、板金素材を折り曲げ形成したもので、本体板１１の前縁部及び後縁部にそれぞれ溶接等適宜の手段により取り付けてある。
【００１４】
これら補強桟１６の下面、すなわち上棚２の下面を構成する水平壁１６ａには、それぞれ長手方向に沿って間欠的な位置にダルマ孔１７を複数（図示例では８個）貫通させている。このダルマ孔１７は、図１０に示すように、連続する一対の大径部１７ａと小径部１７ｂとから構成され、大径部１７ａを小径部１７ｂよりも前方に位置づけている。ここで、各補強桟１６において、各ダルマ孔１７の大径部１７ａと小径部１７ｂとの位置関係が同一方向となるように設定するとともに、全てのダルマ孔１７が左右に略一直線上に並ぶように配置している。また、補強桟１６の水平壁１６ａには、前記各ダルマ孔１７の大径部１７ａよりも前方となる位置に、略円形の貫通孔１８を設けている。
【００１５】
中棚１は、図３〜図７に示すように、上棚２よりも奥行寸法が大きいものであり、前記補強桟が３本、スリット列が３列設けてある他は、上棚２と略同様の構成であるので、説明を省略する。
さらに本実施例では、参考資料やマニュアル等を収納可能な収納ボックス７を、上棚２及び中棚１の上面側又は下面側のいずれかに選択的に取付けられるようにしている。
【００１６】
この収納ボックス７は、枠体７１と物品載置面７２ａを形成する底板７２とを具備するものであり、その上面又は下面を形成するいずれか一方の面を、取付部８を設けてなる取付面７ａとしたものである。
詳述すれば、枠体７１は、一対の側板７１１と、これら側板７１１の上端縁同士、及び下端縁同士をそれぞれ連結する一対の横板７１２からなり、正面視ロの字型をなして奥行き方向に貫通する。各側板７１１は内部中空のものである。しかして、その内壁７１１ａには、複数のフック孔Ｆが上下に間欠的に列状をなして２列設けられており、このフック孔Ｆに取付具Ｇを介して中間棚９を上下に位置変更可能に取付けられるように構成している。各横板７１２は、平板部７１３と、この平板部７１３の前縁及び後縁を起立屈曲させてなる一対の起立縁部７１４とを具備し、対向方向に向かって開口するように構成したチャネル状のものである。底板７２は、横板７１２に形成した前記開口に着脱可能に嵌め込むことが可能な下方に開口する扁平筐体状のものであり、その後縁部には上向きに突出する落下防止壁７２１が一体に設けてある。
【００１７】
しかして、これら横板７１２のうち、いずれか一方の表面を取付面７ａとするとともに、この取付面７ａに取付部８を設け、この取付部８を介して収納ボックス７を上棚２、又は中棚１に取付けられるようにしている。
この取付部８は、取付面７ａに開口するめねじ孔８１を具備し、前記収納ボックス７を上棚２又は中棚１の下面側に取付ける場合には、このめねじ孔８１にねじ止めした有頭ピン８２を、前記だるま孔１７に係り止めるとともに、該収納ボックス７を上棚２又は中棚１の上面側に取付ける場合には、前記有頭ピン８２を取り外しておき、前記スリット１１ａを通して、下方からねじＢを前記めねじ孔８１に締着するように構成してなるものである。しかして、このように、収納ボックス７を棚板１、２の上に取付ける場合と下に取付ける場合とで異なった取付態様としているのは、上に取付ける場合には、収納ボックス７の横ずれのみを防止すればよいが、下に取り付ける場合には、収納ボックス７の荷重を支持させなければならないためである。
【００１８】
より具体的には、図８等に示すように、めねじ孔８１は、横板７１２の平板部７１３裏面に溶接したナット部材ＮＴに形成したものであり、平板部７１３におけるこのナット部材ＮＴに対応する位置に、貫通孔８１ａを開けることにより、取付面７ａに開口させている。この実施例では、このめねじ孔８１を、平板部７１３における各隅部の４箇所、及び奥行き方向の中間部に幅方向に沿った４箇所の計８箇所にそれぞれ設けている。なお、平板部７１３の隅部に設けためねじ孔８１のうち、左右に並ぶ２つのめねじ孔８１の近傍には、後述するはずれ防止部材１０を取付けるための矩形孔８３及び円孔８４が貫通させてそれぞれ設けてある。
【００１９】
有頭ピン８２は、図８等に示すように、だるま孔１７の大径部１７ａよりも小径で小径部１７ｂよりも大径の円板状頭部８２ａと、この頭部８２ａから連続して突出させた、前記小径部１７ｂよりも小径の円柱状首部８２ｂと、この首部８２の反頭部側から一体に突出させたおねじ部８２ｃとからなるもので、このおねじ部８２ｃを前記めねじ孔８１にねじ止めできるようにしてある。
【００２０】
このように構成した本実施例にかかる収納ボックス７を上棚２又は中棚１に取付けるには以下のように行う。
まず、上棚２又は中棚１の下面に取付けるには、取付面７ａが上面となるように収納ボックス７の姿勢を設定するとともに、隅部に配置した４つのめねじ孔８１にそれぞれ有頭ピン８２を締着する。
【００２１】
次に、この収納ボックス７を上棚２又は中棚１の下方に位置させ、上向きに動かして、各有頭ピン８２を、対応する部位に設けられただるま孔１７の大径部１７ａから挿入した後、小径部１７ｂ側にスライド移動させて大径部１７ａの下向面を、補助桟１６の水平壁１６ａにおける小径部１７ｂ周縁の上向面に係り合わせる。
【００２２】
なお、本実施例では、図８、図１０に示すように、有頭ピン８２が、だるま孔１７の小径部１７ｂ側に移動することにより、だるま孔１７の大径部１７ａは開いた状態となるが、この大径部１７ａに、はずれ防止部材１０を取付けることによって、不測の外力に起因して収納ボックス７が、前記取付けに係るスライド方向とは逆方向に動かされ外れることを確実に防止している。このはずれ防止部材１０は、前記矩形孔８３に挿入させ得る上水平片１０ａ及び起立片１０ｂと、前記矩形孔８３よりも幅広の下水平片１０ｃとを具備する側面視クランク状をなすもので、上水平片１０ａ及び起立片１０ｂの一部を、下方から矩形孔８３及びだるま孔１７の大径部１７ａに挿入し、ねじＢ１を、下方から前記円孔８４に貫通させて上水平片１０ａに形成したネジ孔１０１にねじ止めすることにより、この起立片１０ｂがだるま孔１７の大径部１７ａに嵌まり込んで収納ボックス７の外れ防止を行う。
【００２３】
最後に、底板７２を、下方に位置する横板７１２の開口に上方から嵌め込んで組立取付作業を終了する。
一方、この収納ボックス７を、上棚２又は中棚１の上面側に取付けるには、有頭ピン８２をめねじ孔８１から外しておくとともに、取付面７ａが下面となるように収納ボックス７の姿勢を設定する。そして、この収納ボックス７を上棚２又は中棚１に載せた上で、図９に示すように、ねじＢ２を、下方から上棚２又は中棚１のスリット１１ａに貫通させ、収納ボックス７のめねじ孔８１にねじ止めし固定する。なお、本実施例では、横板７１２の奥行き方向の中間部に、幅方向に沿って４箇所にそれぞれ設けためねじ孔８１が、スリット１１ａの位置に対応させてあるので、これら４つのめねじ孔８１のひとつまたは複数にねじＢ２を締着する。
【００２４】
最後に、底板７２を、下方に位置する横板７１２の開口に上方から嵌め込んで組立取付作業を終了する。
したがって、このように構成した本実施例によれば、棚板１、２の上面側及び下面側のいずれにも収納ボックス７を取付けられるうえ、収納ボックス７の取付のためのスリット１１ａやだるま孔１７が幅方向に間欠的に設けられており、収納ボックス７の幅方向に沿った取付位置も段階的に変更可能であるので、その取付位置自由度が従来のものと比べ格段に向上する。したがって、棚板１、２に載せるコンピュータ等の物品の位置変更や種類の変更に応じて、この収納ボックス７を配置し、サーバラックＲ全体としての使用効率を向上させることができるようになる。
【００２５】
しかも、本実施例では、収納ボックス７を上下反転させて用いることができるようにし、この収納ボックス７の上面又は下面を形成するいずれか一方の面７ａのみに取付部８を設ければよいようにしているので、取付部８を上下面の両方に設けることなく、部品点数やコストの削減にも寄与し得る。
なお、本発明は上記実施例に限られるものではない。例えば、上記収納ボックスは、サーバラックの棚板に限らず、本棚や食器棚等の棚付家具に設けても同様の効果を奏し得る。
【００２６】
その他各部の具体的な構成は、上述した実施例に限定されるものではなく、本発明の趣旨を逸脱しない範囲で種々変形が可能である。
【００２７】
【発明の効果】
以上に詳述したように、本発明によれば、棚板の上面側及び下面側のいずれにも収納ボックスを取付けられるので、その取付位置自由度が従来のものと比べ格段に向上する。したがって、棚板に載せる物品の位置変更や種類の変更等に応じてこの収納ボックスを配置し、家具全体としての使用効率を向上させることができるようになる。
【００２８】
収納ボックスの上面又は下面を形成するいずれか一方の面のみを取付面とし、この取付面に取付部を設けるとともに、この収納ボックスを棚板の下面側に取付ける場合には、この取付面を上にした状態とし、前記取付部を介して棚板の下面に取付け、上面側に取付ける場合には、この収納ボックスを天地逆に反転させて前記取付面を下にした状態とし、前記取付部を介して棚板の上面に取付けるようにしたものであれば、収納ボックスを棚板に取付けるための取付部を上下面の両方に設けることなく、簡単な構造での実現が可能となり、コスト削減にも寄与し得る。
【００２９】
この場合に、収納ボックスを枠体とこの枠体に支持され物品載置面を形成する底板とを具備するものとし、この底板を着脱可能なものとするとともに、収納ボックスの姿勢に応じて、枠体の下部に取付けられるようにしたものであれば、部品削減や軽量化をより促進させることができる。
取付部の好ましい実施態様としては、取付部が、取付面に開口するめねじ孔を具備し、前記収納ボックスを棚板の下面側に取付ける場合には、このめねじ孔にねじ止めして上方に突出させた有頭ピンを、棚板の下面に開口させただるま孔に係り止めるようにし、該収納ボックスを棚板の上面側に取付ける場合には、棚板の上面に開口させた貫通孔に下方から貫通させたねじを、前記めねじ孔にねじ止めするようにしてなるものを挙げることができる。
【００３０】
しかして、収納ボックスを、棚板に対し、幅方向に位置変更可能に取り付けられるように構成しておけば、収納ボックスの配置位置自由度をより向上させ、その使い勝手をより好適なものとすることができる。
近時は情報産業の発達でコンピュータやその周辺機器に関して新製品が次々と開発されており、コンピュータを収納するサーバラックにおいても、コンピュータやディスプレイの配置換えや交換が頻繁に行われることが予想される。したがって、このような本発明に係る棚付家具がサーバラックであれば、本発明の物品の位置変更や種類の変更等に応じて好適に収納ボックスを配置変更できるという効果をより顕著に奏させることができる。
【図面の簡単な説明】
【図１】本発明の一実施例におけるサーバラックを示す全体斜視図。
【図２】同実施例における上棚を示す底面図。
【図３】同実施例における収納ボックスを示す一部破断させた分解斜視図。
【図４】同実施例における収納ボックスを示す正面図。
【図５】同実施例における収納ボックスを示す平面図。
【図６】同実施例における収納ボックスを上棚下面に取付けた状態を示す縦断面図。
【図７】同実施例における収納ボックスを上棚上面に取付けた状態を示す縦断面図。
【図８】図６におけるＡ部詳細図。
【図９】図７におけるＢ部詳細図。
【図１０】図８に対応する部分平面図。
【符号の説明】
２…棚板（上棚）
１…棚板（中棚）
７…収納ボックス
８…取付部
７ａ…取付面
７１…枠体
７２ａ…物品載置面
７２…底板
８１…めねじ孔
８２…有頭ピン
１７…だるま孔
１１ａ…貫通孔（スリット）
Ｒ…サーバラック
【図１】
0003616910.tif 000002
【図２】
0003616910.tif 000003
【図３】
0003616910.tif 000004
【図４】
0003616910.tif 000005
【図５】
0003616910.tif 000006
【図６】
0003616910.tif 000007
【図７】
0003616910.tif 000008
【図８】
0003616910.tif 000009
【図９】
0003616910.tif 000010
【図１０】
0003616910.tif 000011